(57)【要約】【課題】筆圧痕を簡単迅速に可視化できる小形軽量で安価な照明装置を提供する。【解決手段】環状に形成された環状部２を有する照明装置本体４と；ピーク波長が異なる指向性を有する光をそれぞれ発光する複数のＬＥＤチップおよびこれらＬＥＤチップの発光の配光幅をそれぞれ拡幅する複数の集光レンズ５ｃを有し、これら集光レンズ５ｃからの光を環状部２の環状中心部Ｏに向けて照射すると共に、環径方向で正対しないように環状部に周方向に所要の間隔を置いて配設された複数の点光源５，５，…と；これら点光源を点灯させる点灯回路と；を具備している。【選択図】  図１
2011048950.tif 000002
【特許請求の範囲】
【請求項１】
環状に形成された環状部を有する照明装置本体と；
ピーク波長が異なる指向性を有する光をそれぞれ発光する複数の発光素子およびこれら発光素子の発光の配光幅をそれぞれ拡幅する複数の光学素子を有し、これら光学素子からの光を前記環状部の環状中心部に向けて照射すると共に、環径方向で正対しないように前記環状部に周方向に所要の間隔を置いて配設された複数の点光源と；
これら点光源を点灯させる点灯回路と；
を具備していることを特徴とする照明装置。
【請求項２】
点光源は、ピーク波長が異なる４つ以上の光をそれぞれ発光する発光素子をそれぞれ具備していることを特徴とする請求項１記載の照明装置。
【請求項３】
前記照明装置本体は、前記環状部に形成された取手部を有し、この取手部内に前記点灯回路を収容していることを特徴とする請求項１または２記載の照明装置。
【発明の詳細な説明】
【技術分野】
【０００１】
本発明は紙面の筆圧痕を容易に視認できる照明装置に関する。
【背景技術】
【０００２】
一般に、筆圧痕とは、複数枚の紙が重なった状態で、その最も上の紙に、文字や図等を筆記具により書いたときに、その筆記具先端の押圧により２枚目以降の紙に形成された凹凸（変形凹部）をいう。特に筆圧対象が文字の場合は筆圧文字とも言われる。この筆圧痕を判読することにより、最も上側の紙面に記載された文字や図等を検出することができる。
【０００３】
このような筆圧痕の判読は犯罪捜査の証拠鑑定現場でしばしば必要となる。そして、筆圧痕は可視化された状態で写真や画像データとして記録され、これら写真や画像データを用いて筆圧痕を判読している。
【０００４】
従来、この種の照明装置としては、例えば特許文献１に記載された読取装置がある。この読取装置は、筆圧痕を有する被写体に対し、被写体の平面部に斜めから光を入射する光源と、被写体の平面部で反射する光を読み取る読取部とを有する読取ヘッドと、被写体を支持する支持部を備え、読取ヘッドおよび支持部の少なくともいずれか一方は、被写体の平面部と平行な方向に移動可能に構成されると共に、被写体の平面部と直交する方向を軸にして回転可能に構成されている。
【０００５】
この読取装置によれば、読取ヘッドと支持部の一方を被写体の平面部と平行な方向に移動し、または被写体の平面部と直交する垂直方向の軸回りに回動させることにより、筆圧痕を複数の方向から読み取ることができる。
【先行技術文献】
【特許文献】
【０００６】
【特許文献１】特開２００９−１０４４４６号公報
【発明の概要】
【発明が解決しようとする課題】
【０００７】
しかしながら、この特許文献１記載のものでは、装置全体の構成が複雑で大形かつ重量が大きいために持ち運びが困難であり、高価であるという課題がある。
【０００８】
すなわち、一般に、筆圧痕は、その横方向からの入射光に対してほぼ直角成分が暗い陰（影）として明瞭に表れ、視認し易いが、平行成分は陰が形成され難く、明瞭に表われにくい。そこで、上記従来装置は、左右一対の光源を、筆圧痕に対して左右方向と垂直軸回りに相対的に移動可能に構成すると共に、左右一対の光源の点灯を切り換えることにより、筆圧痕に対して複数方向から光を照射する。そして、これら複数方向から光を照射された筆圧痕の複数の画像を合成して１つの筆圧痕の画像を得ている。このために、装置全体の構成が複雑で大形かつ重量が大きくなる。したがって、捜査機関では鑑識課等に配備されている。
【０００９】
このために、捜査現場に残された、筆圧痕を有する文書は、一旦、捜査機関の鑑識課等に持ち帰り、この読取装置により判読している。
【００１０】
すなわち、捜査現場や現場検証の現場で直ちに筆圧痕を視認し判読できない、という課題がある。
【００１１】
本発明は、このような事情を考慮してなされたものであり、筆圧痕を簡単迅速に可視化できる小形軽量で安価な照明装置を提供することを目的とする。
【課題を解決するための手段】
【００１２】
請求項１に係る照明装置は、環状に形成された環状部を有する照明装置本体と；ピーク波長が異なる指向性を有する光をそれぞれ発光する複数の発光素子およびこれら発光素子の発光の配光幅をそれぞれ拡幅する複数の光学素子を有し、これら光学素子からの光を前記環状部の環状中心部に向けて照射すると共に、環径方向で正対しないように前記環状部に周方向に所要の間隔を置いて配設された複数の点光源と；これら点光源を点灯させる点灯回路と；を具備していることを特徴とする。
【００１３】
請求項１以下において、発光素子としてはＬＥＤ（発光ダイオード）等の発光素子を用いてもよい。また、ＬＥＤとしては、基板上に複数のＬＥＤチップを実装し、この基板上において、これら各ＬＥＤ上に蛍光体層をそれぞれ形成した基板一体型のものや、ＬＥＤチップに蛍光体層を予め形成してあるパッケージ形のＳＭＤ等を用いてもよい。また、光学素子としては、点光源の狭い配光幅を例えば楕円配光等配光幅を拡幅できる集光レンズ等を用いることができる。さらに、ピーク波長が異なる複数の光とは、例えばＲ（赤）、Ｇ（緑）、Ｂ（青）、Ｃ（シアン）、Ａ（アンバー）等の光であり、これら発光色は、例えばＬＥＤの半導体材料やその添加不純物を調整することにより得ることができる。
【００１４】
照明装置本体の環状部は、判読しようとする筆圧痕の少なくとも一部を環状に囲むことができる大きさと形状であればよく、円形環状や矩形環状でもよい。
【００１５】
点灯回路は、複数の点光源の全台を、一斉に点灯、消灯または調光可能に構成されてもよく、あるいは、選択的に点灯、消灯または調光可能に構成されてもよい。
【００１６】
請求項２に係る照明装置は、点光源は、ピーク波長が異なる４つ以上の光をそれぞれ発光する発光素子をそれぞれ具備していることを特徴とする。
【００１７】
照明装置本体の環状部に、４つ以上の点光源を周方向に所要の間隔を置いて配設できるので、環状部の中心部に、筆圧痕の少なくとも一部を位置させることにより、この筆圧痕を、その外周の４つ以上の複数の方向から照射できる。
【００１８】
このために、筆圧痕の４つ以上の方向から明瞭に視認できる成分を同時に視認できる。また、発光素子の発光の波長がそれぞれ相違するので、各点光源発光毎に視認される筆圧痕の複数の構成成分（例えば１文字の全部）を同時に視認できる。
【００１９】
請求項３に係る照明装置は、前記照明装置本体は、前記環状部に形成された取手部を有し、この取手部内に前記点灯回路を収容していることを特徴とする。
【発明の効果】
【００２０】
請求項１に係る照明装置によれば、筆圧痕に対して、その外周の複数の方向から照射された波長がそれぞれ異なる照射光毎に形成された筆圧痕の複数の陰を同時に視認できる。このために、筆圧痕を簡単迅速に判読できる。また、複数の点光源は、光学素子によって所望の配光で筆圧痕を照射するとともに、環径方向で互いに正対しないので、正対したときに点光源同士の発光が相殺されて筆圧痕の視認性が低下することを抑制できる。
【００２１】
請求項２に係る照明装置によれば、ピーク波長が異なる４つ以上の光をそれぞれ照射することにより、点光源の発光毎に形成される筆圧痕の陰を同時に視認できる筆圧痕の構成部分を増加させることができるので、その分、筆圧痕の判読精度の向上を図ることができる。
【００２２】
請求項３に係る照明装置によれば、取手部を有するので、可搬形とすることができる。
【図面の簡単な説明】
【００２３】
【図１】本発明の第１の実施形態に係る照明装置の背面図。
【図２】図１で示す照明装置の正面図。
【図３】図２のＩＩＩ−ＩＩＩ線断面図。
【図４】図１で示す照明装置の作用を説明するための正面図。
【発明を実施するための形態】
【００２４】
以下、本発明の実施形態を添付図面に基づいて説明する。これら添付図面中、同一または相当部分には同一符号を付している。
【００２５】
図１は本発明の第１の実施形態に係る照明装置１の背面図、図２は図１の正面図、図３は図２のＩＩＩ−ＩＩＩ線断面図である。この図１，図２に示すように、照明装置１は、正面形状が偏平円形環状の環状部２に、正面形状が長方形の取手部３を一体または一体的に形成した照明装置本体４を有する。
【００２６】
照明装置本体４は例えばアルミニウム等の金属または合成樹脂により形成されており、環状部２の中心部に、所要径の円形開口の覗き窓２ａを同心状に形成し、環状部２の一端部（図２では左端部）には、環状部２の外径よりも小さい幅であって、手により握ることが可能な幅寸法を有する長方形の取手部３を配設している。
【００２７】
図１，図３に示すように環状部２は、その外側面を形成する円環状の環状壁２ｂを有する。この環状壁２ｂの図３中下端は、全面的に開口する円形の開口端２ｃに形成されている。一方、環状壁２ｂの図３中上端には、所要幅の内向きフランジ２ｄを同心状に一体または一体的に形成している。
【００２８】
そして、図１，図３に示すように環状壁２ｂの内周面に、例えば５個の点光源５，５，…を周方向に等ピッチで配設している。これら点光源５，５，…は、その発光色が例えばＲ（赤）、Ｇ（緑）、Ｂ（青）、Ｃ（シアン）、琥珀色のＡ（アンバー）であり、ピーク波長がそれぞれ相違する。これら光のピーク波長はＲが６２５ｎｍ、Ｇが５３０ｎｍ、Ｂが４７０ｎｍ、Ｃが５０５ｎｍ、Ａが５９０ｎｍである。
【００２９】
そして、これら光Ｒ〜Ａは指向性を有し、図中矢印に示すように環状部２（すなわち覗き窓２ａ）の中心Ｏを有する中心部へ向けて図中水平方向へ照射される。この環状中心Ｏは図３中、環状壁２ｂの開口下端２ｃの環状中心Ｏであるが、複数の点光源５，５，…が環径方向で対向する対向中心でもよい。
【００３０】
各点光源５は、環状壁２ｂの内周に固着された小矩形の取付板５ａの内面に円筒状の発光部５ｂをそれぞれ固着している。各発光部５ｂは円筒状の外囲器内に、取付板５ａの内面に固着された図示省略のプリント基板を収容しており、各プリント基板には上記光色Ｒ，Ｇ，Ｂ，Ｃ，Ａをそれぞれ発光するＬＥＤ（発光ダイオード）チップを発光素子として実装している。これら点光源５，５，…は、その発光色が例えば図１中、右端がＲ、以下時計回りにＣ，Ｂ，Ｇ，Ａに順次位置するように配列されている。これら光Ｒ〜Ａは配光幅が狭く、高い指向性を有し、環状中心Ｏに向けて照射される。
【００３１】
そして、これら点光源５，５，…は、環状部２の環径方向で相互に正対しないように、その正対位置から周方向へ所要角ずれた位置に配列されており、例えば環状壁２ｂの全周を５等分する位置（環状壁２ｂの中心角７２°）にそれぞれ配設されている。
【００３２】
また、各点光源５は、各発光部５ｂに、光学素子の一例である集光レンズ５ｃをそれぞれ設けている。各集光レンズ５ｃは、上記ＬＥＤチップからの指向性の高い光Ｒ〜Ａの配光幅を例えば楕円ビーム状の光に拡幅するレンズである。
【００３３】
図３に示すように取手部３内には、点光源５，５，…を点灯させる点灯回路６と、この点灯回路６に直流電力を給電するバッテリーや乾電池等の電源部７を収容している。点灯回路６は、リード線８に電気的に接続されている。
【００３４】
図１に示すようにリード線８は、環状壁２ｂの内周面に沿って配線されて、各点光源５に電気的に接続されている。点灯回路６は、これら点光源５，５，…を全台一斉または選択的に点灯、消灯し、あるいは選択的に調光する機能を有する。これら機能の操作手段（図示省略）は、図２，図４で示す点，消灯スイッチ９を有する取手部３の図中上面に配設されている。
【００３５】
次に、この照明装置１の作用を説明する。
【００３６】
まず、図３に示すように筆圧痕を有する用紙等の被写体１０の紙面上面１０ａ上に、照明装置１を、その開口端２ｃが接触した状態であって、かつ筆圧痕が環状中心Ｏを有する中心部に位置する状態で載置する。次に、点，消灯スイッチ９の点灯操作により全点光源５，５，…を点灯させる。
【００３７】
すると、図１に示すように各点光源５から、例えばＲ，Ｃ，Ｂ，Ｇ，Ａの発光が環状中心Ｏに向けて照射される。これら照射光は、ＬＥＤからの配光幅が狭く、指向性の高い光の配光幅を、各集光レンズ５ｃにより、例えば正面形状がほぼ楕円状の配光に拡幅している。このために、各点光源５近傍の明るさと環状中心部の明るさの差、すなわちコントラストを低減できる。
【００３８】
そして、これら照射光は被写体１０の上面１０ａの中心部に対して、その上面１０ａに近い高さから、かつ横方向の５方向から照射される。このために、筆圧痕は、そのやや上方かつ横方向の５方向から照明される。
【００３９】
ところで、筆圧痕は、筆記具の筆圧により紙等の被写体１０の上面ａ上に形成される凹部であるから、筆圧痕は、その横方向から照射された光の中で、直角をなす部分が暗い陰（影）として明瞭に表れ、視認し易い一方、平行をなす部分は陰が形成され難く、明瞭に表われにくい。
【００４０】
しかし、この照明装置１によれば、環状中心部にある筆圧痕に対し、５方向から光を同時に照射するので、これら５方向からの照射光に対し直角をなす直角成分またはその周辺の成分が一方向から照射する場合よりも増える。このために、図４に示すように筆圧痕（例えばＡ）のほぼ全体の陰が視覚化され、覗き窓２ａから同時に明瞭に視認できる。
【００４１】
また、各点光源５から照射される光の波長がそれぞれ相違するので、各点光源５の照射光により、筆圧痕に形成された陰を他の点光源５の照射光により打ち消し合うことを防止または低減できる。このために、筆圧痕の視認性を向上させることができる。
【００４２】
さらに、各点光源５は環径方向で相互に正対する位置から周方向にずれて正対していないので、正対した場合の点光源５同士の照射光の相殺を防止または低減できる。このために、筆圧痕の視認性をさらに向上できる。
【００４３】
また、各点光源５の照射光の光色がそれぞれ相違するので、被写体１０の上面１０ａの色と同一または類似するために筆圧痕の陰が目立たなくなる可能性を低減できる。
【００４４】
そして、各点光源５の照射光の配光幅が集光レンズ５ｃにより拡幅されているので、各点光源５近傍の明るさと環状中心部の明るさの差であるコントラストを低減できる。
【００４５】
このために、図４で示すように照明装置１により筆圧痕を視認できるように視覚化した状態で、例えばデジタルカメラやフィルムカメラ等のカメラにより、ストロボを点灯させずにこの筆圧痕Ａを撮影する場合には、各点光源５近傍の明るさと、筆圧痕のある環状中心部とのコントラストが小さいので、各点光源５近傍の部分が露出オーバーで白く飛んでしまう色飛び等の現象を防止または低減できる。これにより、筆圧痕を明瞭に撮影した写真を得る事ができる。
【００４６】
そして、この照明装置１は、照明装置本体４の環状部２を、その覗き窓２ａが筆圧痕の少なくとも一部を囲むことができる大きさに形成し、この環状部２に、小形軽量の５個の点光源５を設け、取手部３内に点灯回路６と電源部７を収容する簡単な構成であるので、照明装置１全体として小形軽量化を図ることができる。また、点光源５，５，…はバッテリーや乾電池により駆動されるので、照明装置１の可搬性の向上を図ることができる。
【００４７】
このために、照明装置１を、その取手部３を握って所要の操作を簡単に行うことができる。これにより、照明装置１を捜査現場等所要の場所に簡単に持ち込むことができ、筆圧痕を明瞭な状態でカメラにより簡単確実に撮影し、証拠の写真を確保できる。
【００４８】
また、筆圧痕の深さや被写体１０の面積（大きさ）、その上面１０ａの色等に応じて点光源５，５，…の点，消灯や調光を適宜制御することにより、筆圧痕の視認に適した波長の光を照射する等、点光源５，５，…の組合せを適宜選択できる。
【００４９】
なお、上記実施形態では、複数の点光源５，５，…を環状壁２ｂに固定する場合について説明したが、これら点光源５，５，…を環状壁２ｂに対して回動可能に構成してもよい。
【００５０】
また、上記点光源５，５，…は、ピーク波長がそれぞれ異なる光を発光するＬＥＤチップを各発光部５ｂ毎にそれぞれ設けた場合について説明したが、本発明はこれに限定されるものではなく、例えば各発光部５ｂに、発光素子として青色発光のＬＥＤチップを設け、この青色発光により励起されて、上記Ｒ，Ｃ，Ｂ，Ｇ，Ａをそれぞれ発光する蛍光体をそれぞれ設けることにより、各発光部５ｂを構成してもよい。
【符号の説明】
【００５１】
１…照明装置、２…環状部、２ａ…覗き窓、２ｂ…環状壁、２ｃ…開口端、３…取手部、４…照明装置本体、５…点光源、５ｂ…発光部、５ｃ…集光レンズ（光学素子）、６…点灯回路、１０…被写体。
【図１】
2011048950.tif 000003
【図２】
2011048950.tif 000004
【図３】
2011048950.tif 000005
【図４】
2011048950.tif 000006